(57)【特許請求の範囲】
【請求項１】
車両用シートのヘッドレスト本体に、その背面側に表示画面を向けてモニター本体が設けられているモニター付きヘッドレストであって、
ヘッドレスト本体はヘッドレストステーに対して前後方向へ回転可能に支持され、モニター本体は、その表示画面をヘッドレスト本体の背面側の意匠面から奥まったところに位置させた状態でヘッドレストステーに取り付けられ、ヘッドレスト本体の背面側に固定され、かつ、モニター本体の表示画面と対応する部位に開口部を備えた保護カバーによって該モニター本体が被われ、この保護カバーにおける開口部の周縁部が内方に向かって張り出しているとともに、モニター本体に取り付けられた隙間隠しカバーがモニター本体の表示画面の周囲を被ったフード部を備え、保護カバーの周縁部が隙間隠しカバーのフード部に対し、該フード部の内側において所定の間隔をもって相互に重合しているモニター付きヘッドレスト。
【発明の詳細な説明】
【技術分野】
【０００１】
本発明は、車両用シートのヘッドレスト本体に、後部シートの乗員が利用するためのカーナビゲーションやテレビなどのモニター本体が設けられているモニター付きヘッドレストに関する。
【背景技術】
【０００２】
この種の技術については、例えば特許文献１に開示されたものが既に知られている。この技術では、ヘッドレストステーの水平軸部にヘッドレスト本体のフレームが前後方向へ回転可能に支持されている。またヘッドレスト本体の背面側にはヘッドレストステーに固定された水平の支持軸がヘッドレスト本体から露出して配置され、この支持軸にモニター本体の支持フレームが前後方向へ回転可能に支持されている。つまり、この技術ではヘッドレスト本体およびモニター本体の前後の傾きを個別に調整することが可能である。
【特許文献１】特開２００２−２３９５号公報
【発明の開示】
【発明が解決しようとする課題】
【０００３】
特許文献１に開示された技術では、ヘッドレスト本体の背面側においてモニター本体およびその支持軸などがヘッドレスト本体とは別に位置しているので、ヘッドレスト全体の意匠性が損なわれ、また後部シートの乗員にとってヘッドレスト本体がじゃまになる場合もある。
【０００４】
本発明は、このような課題を解決しようとするもので、その目的は、ヘッドレスト全体の意匠性を良好に保たれ、かつ、ヘッドレスト本体がじゃまになることも防止できるモニター付きヘッドレストを提供することである。
【課題を解決するための手段】
【０００５】
本発明は、上記の目的を達成するためのもので、以下のように構成されている。
請求項１に記載の発明は、車両用シートのヘッドレスト本体に、その背面側に表示画面を向けてモニター本体が設けられているモニター付きヘッドレストであって、ヘッドレスト本体はヘッドレストステーに対して前後方向へ回転可能に支持されている。モニター本体は、その表示画面をヘッドレスト本体の背面側の意匠面から奥まったところに位置させた状態でヘッドレストステーに取り付けられている。
ヘッドレスト本体の背面側に固定され、かつ、モニター本体の表示画面と対応する部位に開口部を備えた保護カバーによって該モニター本体が被われている。この保護カバーにおける開口部の周縁部が内方に向かって張り出しているとともに、モニター本体に取り付けられた隙間隠しカバーがモニター本体の表示画面の周囲を被ったフード部を備えている。そして、保護カバーの周縁部が隙間隠しカバーのフード部に対し、該フード部の内側において所定の間隔をもって相互に重合している。
【０００６】
このような構成を採用することにより、ヘッドレスト全体の意匠性が損なわれず、見栄えがよくなり、かつ、ヘッドレスト本体がじゃまになることもない。またモニター本体については、ヘッドレスト本体を前後方向へ回転させても常に一定の姿勢に保たれているとともに、表示画面がヘッドレスト本体の意匠面から奥まった位置にあることも相まって表示画面が見やすい状態に保たれる。
【０００８】
また、本発明は保護カバーによってモニター本体が被われていることにより、ヘッドレスト本体の背面側に瞬間的な衝撃が加わっても、ヘッドレスト本体側に固定された保護カバーによってモニター本体が保護されるとともに、ヘッドレスト全体の見栄えがさらに向上する。
【００１０】
しかも、本発明においては、ヘッドレスト本体を保護カバーと共に前後方向へ回転させても、この保護カバーにおける開口部の周縁部と隙間隠しカバーのフード部とが相互に重なり合っているため、保護カバーの開口部から内部が見えるのを防止でき、ヘッドレスト全体の見栄えがさらに向上する。
【発明を実施するための最良の形態】
【００１１】
以下、本発明を実施するための最良の形態を、図面を用いて説明する。
（実施の形態１）
まず、本発明における実施の形態１を図１〜５によって説明する。
図１は車両用シートを背面側から見た斜視図である。周知のようシート４０はシートクッション４２とシートバック４４とによって構成され、シートバック４４はその上部においてヘッドレスト本体１０を備えている。ヘッドレスト本体１０はその内部に設けられたモニター本体２０を備え、このモニター本体２０の表示画面２１はシート４０（ヘッドレスト本体１０）の背面側から見ることができる。
【００１２】
図２はモニター付きヘッドレストの構造を表した分解斜視図である。図３はモニター取付け部を背面側から見た斜視図である。図４，５はモニター付きヘッドレストの縦断面図である。これらの図面で示すように、ヘッドレスト本体１０はヘッドレストステー１２を備えている。ヘッドレストステー１２は金属製のパイプで構成されており、下向きに延びた一対の脚部１２ａがシートバック４４の内部に挿入され、所定のホールド部材（図示省略）によって支持される。
【００１３】
またヘッドレストステー１２の上部において両脚部１２ａの間に位置する水平軸部１２ｂには、プレート形状の支持部材１４が取り付けられている。この支持部材１４は、その上部で水平軸部１２ｂを巻き込むようにして結合され、水平軸部１２ｂを支点として前後方向へ回転することが可能である。そして水平軸部１２ｂと、この水平軸部１２ｂに対する支持部材１４の結合部との間の摩擦抵抗により、支持部材１４はその時々の回転位置に保持される。
【００１４】
樹脂製のインサート部材１６は、ヘッドレスト本体１０の内部でその骨格を構成する部材である。このインサート部材１６は、支持部材１４に結合具１７によって取り付けられる。インサート部材１６には、その前面側からパッド１８が被せ付けられ、パッド１８の表面には表皮１９が被せ付けられる。またヘッドレスト本体１０の背面側には耐衝撃性の樹脂材からなる保護カバー３０が設けられ、この保護カバー３０はインサート部材１６に固定される。このように構成されたヘッドレスト本体１０は、その骨格をなすインサート部材１６が支持部材１４を通じてヘッドレストステー１２の水平軸部１２ｂに結合されているので、ヘッドレストステー１２に対して前後方向への回転位置を調整することができる。
【００１５】
ヘッドレストステー１２の上部寄りには、モニターケース２２が両脚部１２ａの間に架け渡された状態で固定されている。このケース２２は、背面側が開放された箱形をしている。ケース２２の内部には、モニター本体２０がその表示画面２１を背面側に向けて組み込まれ、かつ、ケース２２側に固定されている。なおモニター本体２０とコンピュータとを接続するワイヤハーネス（図示省略）は、ヘッドレストステー１２の脚部１２ａ内を通して配線される。
【００１６】
モニターケース２２（モニター本体２０）には、隙間隠しカバー２４が取り付けられている。この隙間隠しカバー２４は、モニター本体２０の表示画面２１の周囲を被うフード部２４ａと、ケース２２の外面に嵌め合わせることで隙間隠しカバー２４をケース２２に固定する取付け部２４ｂとを備えている。そしてモニター本体２０および隙間隠しカバー２４は、インサート部材１６に固定された保護カバー３０によって被われている。
【００１７】
保護カバー３０は、モニター本体２０の表示画面２１と対応する部位に開口部３２を備えている。この開口部３２の周縁部３２ａは、保護カバー３０の内方に向かって張り出している。この周縁部３２ａは隙間隠しカバー２４のフード部２４ａの内側に位置し、フード部２４ａと周縁部３２ａとが相互の間に所定の間隔をもって重合している。保護カバー３０の底には、ヘッドレストステー１２の両脚部１２ａを挿通させる挿通孔３４が開けられている。また保護カバー３０は、インサート部材１６と対向する側の縁部の4箇所においてビス孔３６を有する（図２）。これらのビス孔３６にインサート部材１６側からビス（図示省略）をねじ込むことで、インサート部材１６に保護カバー３０が固定される。
【００１８】
このようにヘッドレスト本体１０の背面側に保護カバー３０を設け、モニター本体２０の表示画面２１をヘッドレスト本体１０の背面側の意匠面（保護カバー３０の表面）から奥まったところに位置させている。このため、モニター本体２０を設けることによってヘッドレスト本体１０の意匠性が損なわれることがなく、かつ、モニター本体２０が乗員のじゃまになることもない。また保護カバー３０における開口部３２の周囲、特に上側の部分は表示画面２１に対して庇の役割を果たし、表示画面２１で外光が反射するのを抑えることができる。しかもモニター本体２０が耐衝撃性の樹脂材からなる保護カバー３０で被われているので、ヘッドレスト本体１０の背面側から衝撃荷重が加わっても、モニター本体２０は保護される。
【００１９】
ヘッドレスト本体１０は、既に述べたようにヘッドレストステー１２の水平軸部１２ｂを支点として前後方向へ回転させることにより、その傾きを調整することができる（図４，５）。これに対してモニター本体２０は、ヘッドレストステー１２に取り付けられているので、ヘッドレスト本体１０を前後方向へ回転させても常に一定の姿勢に保たれる。これにより、表示画面２１は外光の反射が抑えられることも相まって常に見やすい状態に保たれる。また図４，５で示すようにヘッドレスト本体１０を前後方向へ回転させても、保護カバー３０における開口部３２の周縁部３２ａと隙間隠しカバー２４のフード部２４ａとが常に重なり合っている。このため、保護カバー３０の開口部３２のからヘッドレスト本体１０の内部が見えて意匠性が損なわれるのを防止できる。
【００２０】
（実施の形態２）
つづいて本発明における実施の形態２を図６によって説明する。
図６は実施の形態２におけるモニター付きヘッドレストの縦断面図である。この図面で示すように実施の形態２においては、保護カバー３０の開口部３２をスライド蓋３８によって開閉できるようにしている。つまりモニター本体２０の表示画面２１を見ないときは図面の実線で示すようにスライド蓋３８で開口部３２を閉ざしておくことにより、意匠性を高める。そして表示画面２１を見るときには、スライド蓋３８を仮想線で示すように上方へスライドさせて開口部３２を開放する。なおスライド蓋３８はヒンジによって回転させることで開閉する回転蓋に代えることも当然可能である。
【００２１】
（実施の形態３）
つぎに本発明における実施の形態３を図７によって説明する。
図７は実施の形態３におけるモニター取付け部を背面側から見た斜視図である。この図面で示すように実施の形態３においては、ヘッドレストステー１２に固定されたモニターケース２２に対し、モニター本体２０の左右両側が個々の支持ピン２３によって前後方向へ回転できるように支持されている。なおモニター本体２０はケース２２との間の摩擦抵抗によって所定の回転位置に保持され、表示画面２１を見やすい傾きに調整することができる。
【００２２】
以上は本発明を実施するための最良の形態を図面に関連して説明したが、この実施の形態は本発明の趣旨から逸脱しない範囲で容易に変更または変形できるものである。例えば図２で示すように、モニター本体２０用あるいは別のオーディオ機器用のスピーカー６０をヘッドレスト本体１０の内部に組み込むことも可能である。
【図面の簡単な説明】
【００２３】
【図１】車両用シートを背面側から見た斜視図
【図２】モニター付きヘッドレストの構造を表した分解斜視図
【図３】モニター取付け部を背面側から見た斜視図
【図４】モニター付きヘッドレストの縦断面図
【図５】モニター付きヘッドレストの縦断面図
【図６】実施の形態２におけるモニター付きヘッドレストの縦断面図
【図７】実施の形態３におけるモニター取付け部を背面側から見た斜視図
【符号の説明】
【００２４】
１０ ヘッドレスト本体
１２ ヘッドレストステー
２０ モニター本体
２１ 表示画面
２４ 隙間隠しカバー
３０ 保護カバー
３２ 開口部
４０ シート
【図１】
0004492526.tif 000002
【図２】
0004492526.tif 000003
【図３】
0004492526.tif 000004
【図４】
0004492526.tif 000005
【図５】
0004492526.tif 000006
【図６】
0004492526.tif 000007
【図７】
0004492526.tif 000008